(57)【要約】【課題】複数の生地の側縁部上に連続してテープを縫い付ける場合、後続生地の一部分を不要に切断する不良事態の発生を回避しつつ、テープを無駄の発生がないように自動的にかつ的確に切断処理することができるテープ縫い付け用ミシンを提供する。【解決手段】複数の生地を順次送りながらそれら複数の生地の側縁部上に連続して送り出し供給されるテープを縫製部２で連続的に縫い付ける場合において、先行生地Ｗ１の縫い終わり端部が所定のテープ切断位置に到達した時点で、後続生地Ｗ２の、縫い始め端部のうち、テープ縫い付け部分よりも縫製進行方向の下手側にはみ出している生地部分Ｗ２ｃをテープ切断装置３のテープ切断位置から局所的に回避させている又はテープ切断位置よりも縫製進行方向の上手側の位置に押し留めていることが可能な生地押し止め装置８を具備させている。【選択図】図６
2018015509.tif 000002
【特許請求の範囲】
【請求項１】
生地をセットし且つ該生地の所定の縫製進行方向への送りを案内する針板及び生地滑り板と、前記針板に形成された針落ち部を含む縫製部と、前記縫製部よりも縫製進行方向の上手側位置において前記生地の側縁部上に重ね合わせるように長尺帯状物を送り出し供給する帯状物送り出し供給装置と、前記縫製部より縫製進行方向の下手側位置に配置されて前記縫製部の通過時に前記生地の側縁部に縫い付けられた長尺帯状物を縫製進行方向に対して略直交する帯状物の幅方向に沿って切断する帯状物切断装置と、を備えた長尺帯状物縫い付け用ミシンであって、
複数の生地を順次送りながらそれら複数の生地の側縁部上に連続して送り出し供給される長尺帯状物を前記縫製部で連続的に縫い付ける場合において、先行生地の縫い終わり端部が所定の帯状物切断位置に到達した時点で、後続生地の、縫い始め端部のうち、前記長尺帯状物の縫い付け部分よりも縫製進行方向の下手側にはみ出している生地部分を前記帯状物切断装置の帯状物切断位置から局所的に回避させている又は前記帯状物切断位置よりも縫製進行方向の上手側の位置に押し留めていることが可能な生地押し止め装置を具備している
ことを特徴とする長尺帯状物縫い付け用ミシン。
【請求項２】
前記生地押し止め装置は、前記針板上にセットされた生地を該針板に押し付ける生地押えを支持する押え台よりもミシンフレームの内側寄り位置に配置されている
ことを特徴とする請求項１に記載の長尺帯状物縫い付け用ミシン。
【請求項３】
前記生地押し止め装置は、前記位置において、縫製進行方向の下手側上方位置から縫製進行方向の上手側下方位置に向かって進出移動可能に配置されている
ことを特徴とする請求項２に記載の長尺帯状物縫い付け用ミシン。
【請求項４】
前記生地押し止め装置は、生地押えロッドと、該生地押えロッドを前記両位置間に亘って進退駆動移動させるシリンダとから構成されており、前記生地押えロッド先端部には前記後続生地のはみ出し生地部分に当接する滑り止めゴムが取り付けられている
ことを特徴とする請求項３に記載の長尺帯状物縫い付け用ミシン。
【請求項５】
前記帯状物切断装置による切断位置よりも縫製進行方向の下手側に位置する前記生地滑り板の上部には、前記生地滑り板との間に移入された生地を縫製進行方向に強制移送可能な生地送りベルトが配置されている
ことを特徴とする請求項１に記載の長尺帯状物縫い付け用ミシン。
【請求項６】
前記帯状物切断装置による切断位置よりも縫製進行方向の上手側には、前記生地押し止め装置により縫製進行方向の上手側の位置に押し止められた後続生地のはみ出し生地部分に前記帯状物切断装置による切断後にエアを吹き付けることにより、該はみ出し生地部分を前記生地送りベルトと生地滑り板との間に移入させることを補助するエア吹き出し管装置の先端部が配置されている
ことを特徴とする請求項５に記載の長尺帯状物縫い付け用ミシン。
【発明の詳細な説明】
【技術分野】
【０００１】  本発明は、例えばショーツや水着等の裁断生地の脚部にレースや平ゴムなどの長尺帯状物を重ね合わせて縫い付ける場合に用いられる長尺帯状物縫い付け用ミシンに関する。
【背景技術】
【０００２】  通常、ショーツや水着等は、図７に示すように、両脚部となる側縁部Ｗｅ，Ｗｅが湾曲した特殊な形状の裁断生地Ｗが用いられる。そして、図８に示すように、該裁断生地Ｗの両脚部となる湾曲側縁部Ｗｅ，Ｗｅ上にレースや平ゴム等の長尺帯状物Ｔ，Ｔを縫い付け、その後、裁断生地Ｗ全体を二つ折りして脇縫いを行って胴部周りを形成することにより所定のショーツや水着等の縫製品が作製される。【０００３】  上記のような縫製品を作製する際、一般的には、図９に示すように、ミシンの針板１上に複数の裁断生地、すなわち、先行生地Ｗ１と後続生地Ｗ２を次々とセットして、これら複数の裁断生地Ｗ１，Ｗ２を針板１に形成された針落ち部を含む縫製部２に対して順次送りながら、前記縫製部２よりも縫製進行方向Ｙの上手側位置において先行生地Ｗ１及び後続生地Ｗ２の側縁部Ｗｅ，Ｗｅ上に長尺帯状物Ｔを連続に送り出し供給して該長尺帯状物Ｔを連続的に縫い付け、所定量の縫い付けが終わった後に、先行生地Ｗ１と後続生地Ｗ２との間に繋がる帯状物部分Ｔａを、手鋏等を用いて手動切断していた。【０００４】  しかし、この場合は、縫い付けた帯状物切断のために手鋏等による手動作業が必要であり、その度に縫製作業を一時中断しなければならないので、縫製作業効率が悪くて生産性の低下及び生産コストの上昇を招きやすく、更に、手鋏等の使用に伴い生地を傷付けやすいという問題がある。【０００５】  そこで、上記のような手鋏等による手動作業を不要とするために、図１０に示すように、縫製部２より縫製進行方向Ｙの下手側位置に縫い付けた長尺帯状物Ｔを縫製進行方向Ｙに対して略直交する方向、つまり、長尺帯状物Ｔの幅方向に沿って切断する帯状物切断装置３を配置したミシンが従来から提案されていた（例えば、特許文献１参照）。
なお、帯状物切断装置３については、後述する本発明の実施形態で詳しく説明するが、その主要構成は、固定下メス３Ａと該下メス３Ａに対して上方から下方に向けて摺接揺動自在な可動上メス３Ｂとからなる。
【先行技術文献】
【特許文献】
【０００６】
【特許文献１】  実公平２−１０９９５号公報
【発明の概要】
【発明が解決しようとする課題】
【０００７】  上記したような構成の帯状物切断装置３を有する従来の長尺帯状物縫い付け用ミシンを用いて、複数の裁断生地Ｗ１，Ｗ２を針板１上に順次セットし、且つ、縫製部２に対して順次縫製進行方向Ｙに送りながら、それら先行生地Ｗ１及び後続生地Ｗ２の湾曲側縁部Ｗｅ，Ｗｅ上に長尺帯状物Ｔを連続に送り出し供給して長尺帯状物Ｔを連続的に縫い付ける場合、裁断生地が図７に示すような特殊な形状であるために、先行生地Ｗ１の帯状物縫い付け終端部と後続生地Ｗ２の帯状物縫い付け始端部とを両者間に帯状物切断装置３による切断作用に必要最少限の間隔が確保されるように近接させると、後続生地Ｗ２の縫い始め端部の一部分が帯状物縫い付け始端部よりも縫製進行方向Ｙの下手側にはみ出すことになり、このはみ出し生地部分が帯状物切断装置３による長尺帯状物Ｔの切断作用時に不要に切断されてしまうという不良事態を発生することになる。【０００８】  このような後続生地Ｗ２の一部生地部分が不要に切断される不良事態の発生を避けるためには、先行生地Ｗ１の帯状物縫い付け終端部Ｗ１ｅと後続生地Ｗ２の帯状物縫い付け始端部Ｗ２ｂとの間に、図１０に示すように、後続生地Ｗ２の縫い始め端部の一部分がはみ出すことのないだけの所定間隔ｄをあけて長尺帯状物Ｔの縫い付けを行い、生地送りによって前記所定間隔ｄに対応する帯状物部分が帯状物切断装置３による切断位置に達したとき、該帯状物切断装置３を作動させることにより、後続生地Ｗ２の一部生地部分を不要に切断することなく長尺帯状物Ｔの切断を行う方法が採られていた。従って、図７に示すような特殊な形状の裁断生地Ｗを対象にして複数の裁断生地Ｗ１，Ｗ２の側縁部Ｗｅ，Ｗｅに連続的に長尺帯状物Ｔを縫い付ける場合、図１０のＤで示す帯状物部分Ｔｂが無駄（ロス）になるという問題があり、また、この無駄な帯状物部分Ｔｂは、脇縫いのとき、ミシンあるいは手動で切断しなければならないという問題もあった。【０００９】  本発明は上述の実情に鑑みてなされたもので、複数の生地の側縁部上に連続して長尺帯状物を縫い付ける場合、後続生地の一部分を不要に切断する不良事態の発生を回避しつつ、帯状物を無駄の発生がないように自動的にかつ的確に切断処理することができる長尺帯状物縫い付け用ミシンを提供することを目的としている。
【課題を解決するための手段】
【００１０】上記目的を達成するために、本発明に係る長尺帯状物縫い付け用ミシンは、生地をセットし且つ該生地の所定の縫製進行方向への送りを案内する針板及び生地滑り板と、前記針板に形成された針落ち部を含む縫製部と、前記縫製部よりも縫製進行方向の上手側位置において前記生地の側縁部上に重ね合わせるように長尺帯状物を送り出し供紿する帯状物送り出し供給装置と、前記縫製部より縫製進行方向の下手側位置に配置されて前記縫製部の通過時に前記生地の側縁部に縫い付けられた長尺帯状物を縫製進行方向に対して略直交する帯状物の幅方向に沿って切断する帯状物切断装置と、を備えた長尺帯状物縫い付け用ミシンであって、複数の生地を順次送りながらそれら複数の生地の側縁部上に連続して送り出し供給される長尺帯状物を前記縫製部で連続的に縫い付ける場合において、先行生地の縫い終わり端部が所定の帯状物切断位置に到達した時点で、後続生地の、縫い始め端部のうち、前記長尺帯状物の縫い付け部分よりも縫製進行方向の下手側にはみ出している生地部分を前記帯状物切断装置の帯状物切断位置から局所的に回避させている又は前記帯状物切断位置よりも縫製進行方向の上手側の位置に押し留めていることが可能な生地押し止め装置を具備していることを特徴とする。
【発明の効果】
【００１１】  上記のごとき特徴を有する本発明に係る長尺帯状物縫い付け用ミシンによれば、複数の生地を順次送りながらそれら複数の生地の側縁部上に連続して送り出し供給される長尺帯状物を前記縫製部で連続的に縫い付ける場合において、先行生地の帯状物縫い付け終端部と後続生地の帯状物縫い付け始端部とを両者間に帯状物切断装置の切断作用に必要最少限の間隔を確保するように近接させることによって、帯状物を無駄の発生がない位置で自動的に切断することができる。それでいて、先行生地の帯状物縫い付け終端部と後続生地の帯状物縫い付け始端部との間に帯状物切断装置の切断作用に必要最少限の間隔を確保するように近接させることに伴い後続生地の縫い始め端部の一部分が帯状物縫い付け始端部よりも縫製進行方向の下手側にはみ出す状態で連続的に縫い付けが行われることになるが、この場合、先行生地の縫い終わり端部が所定の帯状物切断位置に到達した時点では、生地押し止め装置の働きによって、後続生地における縫製進行方向の下手側へのはみ出し生地部分を帯状物切断装置の帯状物切断位置から局所的に回避させている又は前記帯状物切断位置よりも縫製進行方向の上手側の位置に押し留めていることが可能となるため、前記はみ出し生地部分が帯状物切断装置により不要に切断されるといった不良事態の発生を回避しつつ、上述のとおり、帯状物に無駄を発生しないように的確に切断処理することができるという効果を奏する。【００１２】  本発明に係る長尺帯状物縫い付け用ミシンにおいて、前記生地押し止め装置は、前記針板上にセットされた生地を該針板に押し付ける生地押えを支持する押え台よりもミシンフレームの内側寄り位置に配置されていることが好ましい。
この場合は、生地押えを支持する押え台が、可動する前記生地押し止め装置に対する接触阻止ガードの役割を果たすことになり、縫製作業者に安心感を与えることができるとともに、安全性の確保にも効果を発揮する。【００１３】  特に、前記生地押し止め装置は、前記位置（生地押えを支持する押え台よりもミシンフレームの内側寄り位置）において、縫製進行方向の下手側上方位置から縫製進行方向の上手側下方位置に向かって進出移動可能に配置されていることが好ましく、また、前記生地押し止め装置は、生地押えロッドと、該生地押えロッドを前記両位置間に亘って進退駆動移動させるシリンダとから構成されており、前記生地押えロッド先端部には前記後続生地のはみ出し生地部分に当接する滑り止めゴムが取り付けられていることが好ましい
この場合は、生地押し止め装置の生地押えロッドの進出移動に伴って、滑り止めゴムが後続生地における縫製進行方向の下手側へのはみ出し生地部分に当接して該はみ出し生地部分を縫製進行方向の上手側に押し戻す作用も発揮されることになり、前記はみ出し生地部分が帯状物切断装置により不要に切断されるといった不良事態の発生を一層確実に回避することができる。【００１４】  また、本発明に係る長尺帯状物縫い付け用ミシンにおいて、前記帯状物切断装置による切断位置よりも縫製進行方向の下手側に位置する前記生地滑り板の上部には、前記生地滑り板との間に移入された生地を縫製進行方向に強制移送可能な生地送りベルトが配置されていることが好ましい。
この場合は、複数の生地に連続的に長尺帯状物を縫い付ける際、縫製作業者が生地、特に先行生地を手で縫製進行方向の下手側に送らなくても、生地送りベルトが生地滑り板の上面に沿わせて生地を自動的に移送することが可能で、複数の生地の側縁部に長尺帯状物を連続的に縫い付ける作業を作業負担の少ない状態で容易に、かつスムーズに行うことができる。【００１５】  また、本発明に係る長尺帯状物縫い付け用ミシンにおいて、前記帯状物切断装置による切断位置よりも縫製進行方向の上手側には、前記生地押し止め装置により縫製進行方向の上手側の位置に押し止められた後続生地のはみ出し生地部分に前記帯状物切断装置による切断後にエアを吹き付けることにより、該はみ出し生地部分を前記生地送りベルトと生地滑り板との間に移入させることを補助するエア吹き出し管装置の先端部が配置されていることが好ましい。
この場合は、前記生地押し止め装置により縫製進行方向の上手側の位置に押し止められて皺皺の状態になっている後続生地のはみ出し生地部分を縫製進行方向の上手側の位置からのエアの吹き出しによって縫製進行方向の下手側に吹き飛ばし状に伸ばして前記生地送りベルトと生地滑り板との間への移入を補助することが可能であり、複数の生地に長尺帯状物を連続的に縫い付ける作業を一層スムーズかつ能率的に実行することができる。
【図面の簡単な説明】
【００１６】
【図１】本発明の実施の形態に係る長尺帯状物縫い付け用ミシンの全体斜視図である。
【図２】同上長尺帯状物縫い付け用ミシンの要部の拡大斜視図である。
【図３】同上長尺帯状物縫い付け用ミシンにおける帯状物切断装置の斜視図である。
【図４】同上帯状物切断装置の分解斜視図である。
【図５】同上長尺帯状物縫い付け用ミシによる複数の生地に長尺帯状物を連続的に縫い付ける状況を説明する要部の拡大平面図である。
【図６】図５の状況を示す要部の拡大側面図である。
【図７】縫い付け対象となる裁断生地の形状を示す図である。
【図８】裁断生地への長尺帯状物の縫い付け状態を説明する図である。
【図９】一般的な連続縫い付け状況を説明する要部の平面図である。
【図１０】帯状物切断装置を有する従来の長尺帯状物縫い付け用ミシンによる連続縫い付け状況を説明する要部の平面図である。
【発明を実施するための最良の形態】
【００１７】  以下、本発明の実施の形態を図面にもとづいて説明する。
図１は本発明に係る長尺帯状物縫い付け用ミシンの全体斜視図、図２は長尺帯状物縫い付け用ミシンの要部の拡大斜視図である。【００１８】  上記長尺帯状物縫い付け用ミシンＭは、ミシンフレーム４０の左側部に連なるミシンベッド部４１の上部に、図７に示すような特殊形状の裁断生地Ｗをセットし且つ該裁断生地Ｗの縫製進行方向Ｙへの送りを案内する針板１及び生地滑り板（クロスプレート）４が設けられているとともに、ミシンベッド部４１の内部には、前記裁断生地Ｗを縫製進行方向Ｙに向けて間欠移送する送り歯やそれの駆動機構等が組み込まれているが、それら送り歯や駆動機構等は周知であるため、図示及び具体的な構成の説明を省略する。【００１９】  前記針板１には、上下に往復運動する針（図示省略する）が上下方向に通過移動する針落ち部が形成されており、この針落ち部と前記針と前記針板１上にセットされた裁断生地Ｗを針板１に押し付ける生地押え６とによりショーツ用のレースや水着用の平ゴム等の長尺帯状物Ｔ（以下、テープＴと記載する）を前記裁断生地Ｗの湾曲側縁部Ｗｅに縫い付ける縫製部２が形成されている。【００２０】  また、上記長尺帯状物縫い付け用ミシンＭは、上記構成以外に、前記縫製部２よりも縫製進行方向Ｙの上手側位置において前記裁断生地Ｗの湾曲側縁部Ｗｅ上に重ね合わせるように、テープＴを送り出し供給する帯状物送り出し供給装置５（以下、テープ送り出し装置５と記載する）と、前記縫製部２よりも縫製進行方向Ｙの下手側位置に配置された帯状物切断装置３（以下、テープ切断装置３と記載する）と、前記テープ切断装置３による切断位置よりも縫製進行方向Ｙの下手側に配置された生地送りベルト７と、生地押し止め装置８と、エア吹き出し管装置９と、前記テープ切断装置３に切断動作指令を出力する投光器３１ａ及び受光器３１ｂと、を備えている。【００２１】  前記テープ送り出し装置５は、ミシンフレーム４０の後方上方部位置に回転自在に支承されて床面上に設置収納されたテープ収納部（図示省略する）から上方に引き上げられるテープＴを捌くことでテープ姿勢を一定に整えるテープ捌きロール１０と、該テープ捌きロール１０からテープＴを強制的に引き出すとともに、その引き出したテープＴを前記縫製部２の縫製進行方向Ｙの上手側位置にまで強制的に送り出すテープ強制送り駆動ローラ１１と、テープＴの強制移動を案内する複数のテープ案内具１２と、から構成されている。【００２２】  前記テープ切断装置３は、図２に示すように、前記針板１の縫製進行方向Ｙの直後位置に配置された固定下メス３Ａと、この下メス３Ａに対して上方から下方に向けて摺接揺動する可動上メス３Ｂと、この可動上メス３Ｂを駆動するアクチュエータとしてのエアシリンダ３Ｃと、を主要構成とし、裁断生地Ｗの湾曲側縁部Ｗｅに縫い付けられたテープＴを縫製進行方向Ｙに対して略直交するテープ幅方向に切断するように構成されている。【００２３】  前記テープ切断装置３の具体的な構成は、図３及び図４に示すとおりである。すなわち、可動上メス３Ｂを先端に固定した軸部材１３がミシンフレーム４０に止めネジ１４を介して固定される上メス台１５に縫製進行方向Ｙに沿う軸心周りに回転自在に支承されているとともに、固定下メス３Ａが前記上メス台１５の縫製進行方向Ｙの上手端部に固定の下メス台１６に止めネジ１７を介して固定されている。【００２４】  前記上メス台１５と前記軸部材１３に固定されたカラー１８との間には上メス押しバネ１９が介在されており、この上メス押しバネ１９の弾性力により上メス３Ｂを下メス３Ａに押し付けて摺接揺動させるように付勢している。また、前記軸部材１３の縫製進行方向Ｙの下手端部には前記エアシリンダ３Ｃの伸縮ロッド２１の下端部材２１ａを前記軸部材１３の軸心に対して偏位した位置で連結可能な上メス連結部材２０が固定されている。【００２５】  上記したような具体構成を有するテープ切断装置３は、前記エアシリンダ３Ｃを収縮させて軸部材１３の回転を介して可動上メス３Ｂを下メス３Ａに対して上方から下方へ向けて摺接させることによりテープ切断作用を行い、かつ、前記エアシリンダ３Ｃを伸長させて前記軸部材１３を逆回転させることにより可動上メス３Ｂを下メス３Ａに対して上昇揺動させるように構成されている。【００２６】  前記生地送りベルト７は、テープ切断装置３による切断位置よりも縫製進行方向Ｙの下手側に位置する前記クロスプレート４部分の上部に配置されるものであって、通常、断面が円形の丸ベルトが使用される。この生地送りベルト７は、前記クロスプレート４に対向する位置から縫製進行方向Ｙの下手側上方位置に向かって傾斜状に延びる固定ベルト台２２の傾斜下端部で縫製進行方向Ｙの前後位置に軸支された二つのプーリ２３ａ，２３ｂと前記固定ベルト台２２の傾斜上端部に軸支されたプーリ（図示省略する）との間に亘って巻回されている。前記固定ベルト台２２の傾斜上端部のプーリの軸にはステッピングモータ２４が直結されており、このステッピングモータ２４を介して生地送りベルト７を駆動することにより、前記二つのプーリ２３ａ，２３ｂ間で前記クロスプレート４と略平行に対向位置する水平送りベルト部分７ａが縫製進行方向Ｙと同一方向に駆動移動されるように構成されている。【００２７】  以上のように構成された生地送りベルト７は、前記テープ切断装置３によりテープ切断された後に、前記クロスプレート４と前記水平送りベルト部分７ａとの間に移入される裁断生地Ｗを縫製進行方向Ｙに強制移送する機能を発揮する。【００２８】  前記生地押し止め装置８は、図２に明示するように、生地押えロッド２５と、該生地押えロッド２５を縫製進行方向Ｙの下手側上方位置と縫製進行方向Ｙの上手側下方位置との間に亘って進退駆動移動させるエアシリンダ２６と、から構成されており、前記生地押えロッド２５の先端部には、後続生地Ｗ２のはみ出し生地部分（後述する）に当接する滑り止めゴム２７が取り付けられている。【００２９】  以上のように構成された生地押し止め装置８は、図５及び図６に示すように、複数の裁断生地Ｗ、つまり、先行生地Ｗ１と後続生地Ｗ２とを縫製進行方向Ｙに順次送りながらそれら生地Ｗ１，Ｗ２の湾曲側縁部Ｗｅ，Ｗｅ上に連続してテープＴを送り出し供給するとともに、該テープＴを縫製部２で連続的に縫い付ける場合において、先行生地Ｗ１の縫い終わり端部がテープ切断装置３による切断位置に到達した時点で、後続生地Ｗ２の縫い始め端部のうち、テープ縫い付け部分よりも縫製進行方向Ｙの下手側にはみ出している生地部分Ｗ２ｃに前記滑り止めゴム２７が当接させるように進出駆動移動させることにより、前記はみ出し生地部分Ｗ２ｃを前記テープ切断装置３による切断位置よりも縫製進行方向Ｙの上手側の位置に押し留めて前記はみ出し生地部分Ｗ２ｃを切断位置から局所的に回避させることが可能に構成されている。【００３０】  また、前記生地押し止め装置８は、前記針板１上にセットされた裁断生地を該針板１に押し付ける生地押え６を支持するように、ミシンフレーム４０の左側部に沿う姿勢に配置されている押え台２８よりもミシンフレーム４０の内側寄り位置に配置されている。これによって、前記生地押え６を支持する押え台２８が、縫製進行方向Ｙの下手側上方位置と縫製進行方向Ｙの上手側下方位置との間に亘って進退駆動移動される前記生地押し止め装置８に対する接触阻止ガードの役割を果たすようになっている。【００３１】  前記エア吹き出し管装置９は、前記クロスプレート４の上部位置で前記固定ベルト台２２の左側面部に取付治具２９を介して縫製進行方向Ｙに沿う状態に固定されたエア管３０の縫製進行方向Ｙの下手側端部分を斜め下方へ向けて折り曲げることにより、前記テープ切断装置３によるテープ切断位置へ向かってエアを吹き出すエア吹き出し口部３０ａが形成されている。【００３２】  前記エア吹き出し管装置９は、前記生地押し止め装置８により縫製進行方向Ｙの上手側の位置に押し留められて皺皺の状態になっている前記はみ出し生地部分Ｗ２ｃに向けてエア吹き出し口部３０ａからエアを吹き付けることにより、該はみ出し生地部分Ｗ２ｃを縫製進行方向Ｙの下手側に飛ばし移行させて後続生地Ｗ２を生地送りベルト７とクロスプレート４との間へ移入させることを補助するように構成されている。【００３３】  次に、上記のように構成された本実施の形態に係る長尺帯状物（テープ）縫い付け用ミシンＭを用いて、ショーツや水着などの裁断生地Ｗの湾曲側縁部Ｗｅに沿ってレースや平ゴム等のテープＴを縫い付ける動作について、主に図５及び図６を参照しながら説明する。【００３４】  ミシンの針板１上に複数の裁断生地、すなわち、先行生地Ｗ１と後続生地Ｗ２を次々とセットして、これら先行、後続生地Ｗ１，Ｗ２を針板１に形成された針落ち部を含む縫製部２に対して順次送りながら、前記縫製部２よりも縫製進行方向Ｙの上手側位置において先行生地Ｗ１及び後続生地Ｗ２の湾曲側縁部Ｗｅ，Ｗｅ上にテープＴを連続に送り出し供給して該テープＴを連続的に縫い付ける。【００３５】  上記のように、先行生地Ｗ１及び後続生地Ｗ２の湾曲側縁部Ｗｅ，ＷｅにテープＴを連続縫い付ける場合において、先行生地Ｗ１のテープ縫い付け終端部Ｗ１ｅと後続生地Ｗ２のテープ縫い付け始端部Ｗ２ｂとを両者間にテープ切断装置３の切断作用に必要最少限の間隔を確保するように近接させて連続縫い付けを行うことによって、先行生地Ｗ１のテープ縫い付け終端部Ｗ１ｅと後続生地Ｗ２のテープ縫い付け始端部Ｗ２ｂとの最少限の間隔部が切断位置に到達した時点で、投光器３１ａ及び受光器３１ｂによる動作指令を受けてテープ切断装置３が切断動作して、テープＴに無駄を発生しない状態で自動的にテープ切断することができる。【００３６】  それでいて、先行生地Ｗ１のテープ縫い付け終端部Ｗ１ｅと後続生地Ｗ２のテープ縫い付け始端部Ｗ２ｂとの間にテープ切断装置３の切断作用に必要最少限の間隔を確保するように近接させて連続的な縫い付けを行う場合は、後続生地Ｗ２の縫い始め端部の一部分Ｗ２ｃがテープ縫い付け始端部Ｗ２ｂよりも縫製進行方向Ｙの下手側にはみ出したままでの縫い付けが行われ、このままであると、テープ切断装置３によるテープ切断時に前記はみ出し生地部分Ｗ２ｃが不要に切断されてしまうおそれがある。【００３７】  かかる事態を避けるべく本実施の形態によれば、先行生地Ｗ１の縫い終わり端部が所定のテープ切断位置に到達した時点で、前記生地押し止め装置８の働きによって、後続生地Ｗ２の前記はみ出し生地部分Ｗ２ｃが前記テープ切断装置３による切断位置よりも縫製進行方向Ｙの上手側の位置で押し留めることにより前記はみ出し生地部分Ｗ２ｃを切断位置から回避させることが可能であるために、前記はみ出し生地部分Ｗ２ｃがテープ切断装置３により不要に切断されるといった不良事態の発生を回避することができる。【００３８】  そして、テープ切断後は、前記生地押し止め装置８により縫製進行方向Ｙの上手側の位置に押し留められることで皺皺の状態になっている前記はみ出し生地部分Ｗ２ｃに向けて前記エア吹き出し管装置９のエア吹き出し口部３０ａからエアを吹き付けることにより、該はみ出し生地部分Ｗ２ｃを縫製進行方向Ｙの下手側に飛ばし移行させて後続生地Ｗ２の生地送りベルト７とクロスプレート４との間への移入を補助することが可能となり、かつ、後続生地Ｗ２を縫製作業者が手で送らなくても生地送りベルト７が自動的に送ってくれることになる。従って、複数の生地に対するテープＴの連続縫い付け作業を容易かつスムーズに実行することができる。【００３９】  なお、上記実施の形態においては、前記生地押し止め装置８として、後続生地Ｗ２のはみ出し生地部分Ｗ２ｃに当接して該はみ出し生地部分Ｗ２ｃを前記テープ切断装置３による切断位置よりも縫製進行方向Ｙの上手側の位置で押し留めることにより前記はみ出し生地部分Ｗ２ｃを切断位置から回避させるように構成したが、これ以外であっても、例えば、はみ出し生地部分Ｗ２ｃに当接した後、縫製進行方向Ｙの上手側に移動してはみ出し生地部分Ｗ２ｃを積極的に前記テープ切断装置３による切断位置よりも縫製進行方向Ｙの上手側の位置に押し戻すことにより、切断位置から回避させたり、はみ出し生地部分Ｗ２ｃを掴んで切断位置から上方や縫製進行方向Ｙに直交する方向でテープ切断装置３による切断作用領域の側方などに移動させて切断位置から局所的に回避させたりする構成を採用してもよい。【００４０】  また、上記実施の形態においては、生地送りベルト７として、断面が円形の丸ベルトを使用したが、これに限らず平ベルトや複数条の細幅ベルトを使用してもよい。
【符号の説明】
【００４１】  １  針板
２  縫製部
３  テープ切断装置（長尺帯状物切断装置）
４  クロスプレート（生地滑り板）
５  テープ送り出し装置（帯状物送り出し供給装置）
６  生地押え
７  生地送りベルト
８  生地押し止め装置
９  エア吹き出し管装置
２５  生地押えロッド
２６  シリンダ
２７  滑り止めゴム
２８  押え台
４０  ミシンフレーム
Ｍ  テープ縫い付け用ミシン（長尺帯状物縫い付け用ミシン）
Ｗ  裁断生地
Ｗｅ  湾曲側縁部
Ｗ１  先行生地
Ｗ２  後続生地
Ｗ２ｃ  はみ出し生地部分
Ｔ  テープ（長尺帯状物）
Ｙ  縫製進行方向
【図１】
2018015509.tif 000003
【図２】
2018015509.tif 000004
【図３】
2018015509.tif 000005
【図４】
2018015509.tif 000006
【図５】
2018015509.tif 000007
【図６】
2018015509.tif 000008
【図７】
2018015509.tif 000009
【図８】
2018015509.tif 000010
【図９】
2018015509.tif 000011
【図１０】
2018015509.tif 000012